(57)【要約】  インターネットと接続可能な操作端末であるスマートフォン（３０）に、給湯機能を有する温水供給装置（１００）の給湯設定温度の変更入力が入力されると、当該変更入力による変更後の給湯設定温度が予め定められた高温領域内であるときには、スマートフォン（３０）へのパスワードの入力要求が生成される。スマートフォン（３０）へ入力されたパスワードが予め定められた登録パスワードと一致したときには、変更入力に従って生成された給湯設定温度の変更指令が、通信アダプタ（４０）を経由して温水供給装置（１００）へ入力される。
2018198958.tif 000002
【特許請求の範囲】
【請求項１】
通信網を経由した通信接続を用いた温水供給装置の遠隔操作システムで用いられる通信アダプタであって、
前記温水供給装置は、給湯機能を有し、
前記遠隔操作システムは、
前記通信網に接続可能な操作端末に対する、前記温水供給装置の給湯設定温度の変更入力を受け付けるための受付処理部と、
前記変更入力による変更後の給湯設定温度が予め定められた高温領域内であるときに、パスワードの入力要求を前記操作端末に対して生成するためのパスワード要求処理部と、
前記入力要求に応じて前記操作端末へ入力されたパスワードが予め定められた登録パスワードと一致したときに、前記温水供給装置に対する前記給湯設定温度の変更指令を生成するための第１の温度指令制御部と、
前記入力されたパスワードが前記登録パスワードとは不一致のときに、前記温水供給装置に対する前記給湯設定温度の変更指令を非生成とするための第２の温度指令制御部とを備え、
前記通信アダプタは、前記温水供給装置と通信線によって接続されるとともに、前記通信網および前記操作端末と接続可能に構成されて、前記第１の温度指令制御部によって生成された前記変更指令を前記温水供給装置へ入力する、通信アダプタ。
【請求項２】
前記遠隔操作システムは、
前記変更入力によって前記給湯設定温度の低下が指示された場合には、前記変更後の給湯設定温度によらず前記パスワードの入力を求めることなく前記温水供給装置に対する前記給湯設定温度の変更指令を生成する第３の温度指令制御部をさらに備え、
前記通信アダプタは、前記第３の温度指令制御部によって生成された前記変更指令を前記温水供給装置へ入力する、請求項１記載の通信アダプタ。
【請求項３】
通信網を経由した通信接続を用いた温水供給装置の遠隔操作システムで用いられる通信アダプタであって、
前記温水供給装置は、暖房装置に対して高温水を出力する暖房機能を有し、
前記遠隔操作システムは、
前記通信網に接続可能な操作端末に対する、前記暖房機能の運転オンオフの変更入力を受け付ける受付処理部と、
前記受付処理部への前記変更入力によって前記暖房機能がオフされるときにパスワードの入力要求を前記操作端末に対して生成するパスワード要求処理部と、
前記パスワード要求処理部による前記入力要求に応じて前記操作端末へ入力されたパスワードが予め定められた登録パスワードと一致したときに、前記温水供給装置に対する前記暖房機能のオフ指令を生成する第１の運転状態制御部と、
前記入力されたパスワードが前記登録パスワードとは不一致のときに、前記温水供給装置に対する前記暖房機能のオフ指令を非生成とする第２の運転状態制御部とを備え、
前記通信アダプタは、前記温水供給装置と通信線によって接続されるとともに、前記通信網および前記操作端末と接続可能に構成されて、前記第１の運転状態制御部によって生成された前記オフ指令を前記温水供給装置へ入力する、通信アダプタ。
【請求項４】
通信網を経由した通信接続を用いた温水供給装置の遠隔操作システムで用いられる通信アダプタであって、
前記温水供給装置は、暖房装置に対して高温水を出力する暖房機能を有し、
前記遠隔操作システムは、
前記通信網に接続可能な操作端末に対する、前記暖房機能による暖房能力の変更入力を受け付ける受付処理部と、
前記受付処理部への前記変更入力の受付時にパスワードの入力要求を前記操作端末に対して生成するパスワード要求処理部と、
前記パスワード要求処理部による前記入力要求に応じて前記操作端末へ入力されたパスワードが予め定められた登録パスワードと一致したときに、前記温水供給装置に対する前記暖房能力の変更指令を生成する第１の暖房能力制御部と、
前記入力されたパスワードが前記登録パスワードとは不一致のときに、前記温水供給装置に対する前記暖房能力の変更指令を非生成とする第２の暖房能力制御部とを備え、
前記通信アダプタは、前記温水供給装置と通信線によって接続されるとともに、前記通信網および前記操作端末と接続可能に構成されて、前記第１の暖房能力制御部によって生成された前記変更指令を前記温水供給装置へ入力する、通信アダプタ。
【請求項５】
前記遠隔操作システムは、
前記パスワード要求処理部による前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する、前記温水供給装置の給湯設定温度の変更入力に従って前記温水供給装置に対する前記給湯設定温度の変更指令を生成するパスワード省略処理部をさらに備え、
前記通信アダプタは、前記パスワード省略処理部によって生成された前記変更指令を前記温水供給装置へ入力する、請求項１または２に記載の通信アダプタ。
【請求項６】
前記遠隔操作システムは、
前記パスワード要求処理部による前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する前記暖房機能の運転オンオフの変更入力に従って、前記暖房機能のオン指令またはオフ指令を生成するパスワード省略処理部をさらに備え、
前記通信アダプタは、前記パスワード省略処理部によって生成された前記オン指令または前記オフ指令を前記温水供給装置へ入力する、請求項３記載の通信アダプタ。
【請求項７】
前記遠隔操作システムは、
前記パスワード要求処理部による前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する前記暖房能力の変更指示に従って、前記温水供給装置に対する前記暖房能力の変更指令を生成するパスワード省略処理部をさらに備え、
前記通信アダプタは、前記パスワード省略処理部によって生成された前記変更指令を前記温水供給装置へ入力する、請求項４記載の通信アダプタ。
【請求項８】
前記遠隔操作システムは、
前記一致時点からの経過時間が所定時間に達するまでの間に、前記パスワード省略処理部によって前記温水供給装置に対する指令が生成されたときに前記経過時間のカウントをクリアするカウント初期化部をさらに備える、請求項５〜７のいずれか１項に記載の通信アダプタ。
【請求項９】
前記通信アダプタは、前記通信網を経由して、前記操作端末および前記登録パスワードを記憶する管理センターに対して通信可能に接続される、請求項１〜８のいずれか１項に記載の通信アダプタ。
【請求項１０】
通信網を経由した通信接続を用いた、給湯機能を有する温水供給装置の遠隔操作システムであって、
前記通信網に接続可能な操作端末に対する、前記温水供給装置の給湯設定温度の変更入力を受け付けるための受付処理部と、
前記変更入力による変更後の給湯設定温度が予め定められた高温領域内であるときに、パスワードの入力要求を前記操作端末に対して生成するためのパスワード要求処理部と、
前記入力要求に応じて前記操作端末へ入力されたパスワードが予め定められた登録パスワードと一致したときに、前記温水供給装置に対する前記給湯設定温度の変更指令を生成するための第１の温度指令制御部と、
前記入力されたパスワードが前記登録パスワードとは不一致のときに、前記温水供給装置に対する前記給湯設定温度の変更指令を非生成とするための第２の温度指令制御部とを備える、温水供給装置の遠隔操作システム。
【請求項１１】
前記変更入力によって前記給湯設定温度の低下が指示された場合には、前記変更後の給湯設定温度によらず前記パスワードの入力を求めることなく前記温水供給装置に対する前記給湯設定温度の変更指令を生成する第３の温度指令制御部をさらに備える、請求項１０記載の温水供給装置の遠隔操作システム。
【請求項１２】
通信網を経由した通信接続を用いた、暖房装置に対して高温水を出力する暖房機能を有する温水供給装置の遠隔操作システムであって、
前記通信網に接続可能な操作端末に対する、前記暖房機能の運転オンオフの変更入力を受け付ける受付処理部と、
前記受付処理部への前記変更入力によって前記暖房機能がオフされるときにパスワードの入力要求を前記操作端末に対して生成するパスワード要求処理部と、
前記パスワード要求処理部による前記入力要求に応じて前記操作端末へ入力されたパスワードが予め定められた登録パスワードと一致したときに、前記温水供給装置に対する前記暖房機能のオフ指令を生成する第１の運転状態制御部と、
前記入力されたパスワードが前記登録パスワードとは不一致のときに、前記温水供給装置に対する前記暖房機能のオフ指令を非生成とする第２の運転状態制御部とを備える、温水供給装置の遠隔操作システム。
【請求項１３】
通信網を経由した通信接続を用いた、暖房装置に対して高温水を出力する暖房機能を有する温水供給装置の遠隔操作システムであって、
前記通信網に接続可能な操作端末に対する、前記暖房機能による暖房能力の変更入力を受け付ける受付処理部と、
前記受付処理部への前記変更入力の受付時にパスワードの入力要求を前記操作端末に対して生成するパスワード要求処理部と、
前記パスワード要求処理部による前記入力要求に応じて前記操作端末へ入力されたパスワードが予め定められた登録パスワードと一致したときに、前記温水供給装置に対する前記暖房能力の変更指令を生成する第１の暖房能力制御部と、
前記入力されたパスワードが前記登録パスワードとは不一致のときに、前記温水供給装置に対する前記暖房能力の変更指令を非生成とする第２の暖房能力制御部とを備える、温水供給装置の遠隔操作システム。
【請求項１４】
前記パスワード要求処理部による前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する、前記温水供給装置の給湯設定温度の変更入力に従って前記温水供給装置に対する前記給湯設定温度の変更指令を生成するパスワード省略処理部をさらに備える、請求項１０または１１記載の温水供給装置の遠隔操作システム。
【請求項１５】
前記パスワード要求処理部による前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する前記暖房機能の運転オンオフの変更入力に従って、前記暖房機能のオン指令またはオフ指令を生成するパスワード省略処理部をさらに備える、請求項１２記載の温水供給装置の遠隔操作システム。
【請求項１６】
前記パスワード要求処理部による前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する前記暖房能力の変更指示に従って、前記温水供給装置に対する前記暖房能力の変更指令を生成するパスワード省略処理部をさらに備える、請求項１３記載の温水供給装置の遠隔操作システム。
【請求項１７】
前記一致時点からの経過時間が所定時間に達するまでの間に、前記パスワード省略処理部によって前記温水供給装置に対する指令が生成されたときに前記経過時間のカウントをクリアするカウント初期化部をさらに備える、請求項１４〜１６のいずれか１項に記載の温水供給装置の遠隔操作システム。
【請求項１８】
前記温水供給装置は、通信線によって接続された通信アダプタおよび前記通信網を経由して、前記操作端末および前記登録パスワードを記憶する管理センターに対して通信可能に接続される、請求項１０〜１７のいずれか１項に記載の温水供給装置の遠隔操作システム。
【請求項１９】
通信網を経由した通信接続を用いた、給湯機能を有する温水供給装置の遠隔操作方法であって、
前記通信網に接続可能な操作端末に対する、前記温水供給装置の給湯設定温度の変更入力を受け付けるステップと、
前記変更入力による変更後の給湯設定温度が予め定められた高温領域内であるときに、パスワードの入力要求を前記操作端末に対して生成するステップと、
前記入力要求に応じて前記操作端末へ入力されたパスワードが予め定められた登録パスワードと一致したときに、前記温水供給装置に対する前記給湯設定温度の変更指令を生成するステップと、
前記入力されたパスワードが前記登録パスワードとは不一致のときに、前記温水供給装置に対する前記給湯設定温度の変更指令を非生成とするステップとを備える、温水供給装置の遠隔操作方法。
【請求項２０】
前記変更入力によって前記給湯設定温度の低下が指示された場合には、前記変更後の給湯設定温度によらず前記パスワードの入力を求めることなく前記温水供給装置に対する前記給湯設定温度の変更指令を生成するステップをさらに備える、請求項１９記載の温水供給装置の遠隔操作方法。
【請求項２１】
通信網を経由した通信接続を用いた、暖房装置に対して高温水を出力する暖房機能を有する温水供給装置の遠隔操作方法であって、
前記通信網に接続可能な操作端末に対する、前記暖房機能の運転オンオフの変更入力を受け付けるステップと、
前記運転オンオフの変更入力によって前記暖房機能がオフされるときにパスワードの入力要求を前記操作端末に対して生成するステップと、
前記入力要求に応じて前記操作端末へ入力されたパスワードが予め定められた登録パスワードと一致したときに、前記温水供給装置に対する前記暖房機能のオフ指令を生成するステップと、
前記入力されたパスワードが前記登録パスワードとは不一致のときに、前記温水供給装置に対する前記暖房機能のオフ指令を非生成とするステップとを備える、温水供給装置の遠隔操作方法。
【請求項２２】
通信網を経由した通信接続を用いた、暖房装置に対して高温水を出力する暖房機能を有する温水供給装置の遠隔操作方法であって、
前記通信網に接続可能な操作端末に対する、前記暖房機能による暖房能力の変更入力を受け付けるステップと、
前記暖房能力の変更入力の受付時にパスワードの入力要求を前記操作端末に対して生成するステップと、
前記入力要求に応じて前記操作端末へ入力されたパスワードが予め定められた登録パスワードと一致したときに、前記温水供給装置に対する前記暖房能力の変更指令を生成するステップと、
前記入力されたパスワードが前記登録パスワードとは不一致のときに、前記温水供給装置に対する前記暖房能力の変更指令を非生成とするステップとを備える、温水供給装置の遠隔操作方法。
【請求項２３】
前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する、前記温水供給装置の給湯設定温度の変更入力に従って前記温水供給装置に対する前記給湯設定温度の変更指令を生成するステップをさらに備える、請求項１９または２０記載の温水供給装置の遠隔操作方法。
【請求項２４】
前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する前記暖房機能の運転オンオフの変更入力に従って、前記暖房機能のオン指令またはオフ指令を生成するステップをさらに備える、請求項２１記載の温水供給装置の遠隔操作方法。
【請求項２５】
前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する前記暖房能力の変更指示に従って、前記温水供給装置に対する前記暖房能力の変更指令を生成するステップをさらに備える、請求項２２記載の温水供給装置の遠隔操作方法。
【請求項２６】
前記一致時点からの経過時間が所定時間に達するまでの間に、前記パスワードの入力を求めることなく前記温水供給装置に対する指令が生成されたときに、前記経過時間のカウントがクリアされる、請求項２３〜２５のいずれか１項に記載の温水供給装置の遠隔操作方法。
【請求項２７】
請求項１９〜２６のいずれか１項に記載の温水供給装置の遠隔操作方法を、プロセッサを備えたコンピュータに実行させるための、プログラム。
【発明の詳細な説明】
【技術分野】
【０００１】
この発明は、通信アダプタ、温水供給装置の遠隔操作システムおよび遠隔操作方法、ならびに、プログラムに関し、より特定的には、通信網を経由した通信接続を用いた温水供給装置の遠隔操作に関する。
【背景技術】
【０００２】
特開２０１４−４９７７６号公報（特許文献１）には、携帯電話機を遠隔制御装置として用いることで、宅内の家電機器を遠隔制御するシステムが記載されている。特許文献１では、特に、空気調和機の遠隔制御において、冷房基準温度および暖房基準温度の変更等を、予め設定されたパスワードとの照合結果に従って許可することが記載されている。
【先行技術文献】
【特許文献】
【０００３】
【特許文献１】特開２０１４−４９７７６号公報
【発明の概要】
【発明が解決しようとする課題】
【０００４】
給湯器や温水暖房機器等の温水供給装置に対しても、携帯電話機等による通信網を経由した遠隔操作を適用することにより、ユーザが外出先から運転オンオフや設定温度等の変更を可能とすることで、ユーザ利便性を高めることが期待される。【０００５】
しかしながら、このような遠隔操作は、温水供給装置の現在の使用状態が直接分からない状態で実行されることが懸念される。このため、遠隔操作のためのユーザ操作が簡易過ぎると、温水供給装置を使用中の在宅ユーザが存在している場合には、誤タッチ等の操作ミスやうっかり操作によって在宅ユーザの快適性が低下する虞がある。【０００６】
したがって、温水供給装置の遠隔制御では、温水供給装置の使用態様を適合させて、特許文献１に記載された空気調和機の遠隔制御とは異なる観点で、パスワード照合の要求対象を決めることが望ましい。【０００７】
この発明はこのような問題点を解決するためになされたものであって、本発明の目的は、通信網を経由した通信接続を用いた、給湯機能を有する温水供給装置の遠隔制御において、温水供給装置を使用中の在宅ユーザの快適性の低下を抑制することである。
【課題を解決するための手段】
【０００８】
本発明のある局面では、通信アダプタは、通信網を経由した通信接続を用いた温水供給装置の遠隔操作システムで用いられる通信アダプタであって、温水供給装置は、給湯機能をする。遠隔操作システムは、受付処理部と、パスワード要求処理部と、第１の温度指令制御部と、第２の温度指令制御部とを備える。受付処理部は、通信網に接続可能な操作端末に対する、温水供給装置の給湯設定温度の変更入力を受け付ける。パスワード要求処理部は、変更入力による変更後の給湯設定温度が予め定められた高温領域内であるときに、パスワードの入力要求を操作端末に対して生成する。第１の温度指令制御部は、入力要求に応じて操作端末へ入力されたパスワードが予め定められた登録パスワードと一致したときに、温水供給装置に対する給湯設定温度の変更指令を生成する。第２の温度指令制御部は、入力されたパスワードが登録パスワードとは不一致のときに、温水供給装置に対する給湯設定温度の変更指令を非生成とする。通信アダプタは、温水供給装置と通信線によって接続されるとともに、通信網および操作端末と接続可能に構成されて、第１の温度指令制御部によって生成された変更指令を温水供給装置へ入力する。【０００９】
本発明の他のある局面では、通信網を経由した通信接続を用いた温水供給装置の遠隔操作システムにおいて、温水供給装置は給湯機能を有する。遠隔操作システムは、第１の受付処理部と、第１のパスワード要求処理部と、第１の温度指令制御部と、第２の温度指令制御部とを備える。第１の受付処理部は、通信網に接続可能な操作端末に対する、温水供給装置の給湯設定温度の変更入力を受け付ける。第１のパスワード要求処理部は、変更入力による変更後の給湯設定温度が予め定められた高温領域内であるときに、操作端末へのパスワードの入力要求を生成する。第１の温度指令制御部は、入力要求に応じて操作端末へ入力されたパスワードが予め定められた登録パスワードと一致したときに、温水供給装置に対する給湯設定温度の変更指令を生成する。第２の温度指令制御部は、入力されたパスワードが登録パスワードとは不一致のときに、温水供給装置に対する給湯設定温度の変更指令を非生成とする。【００１０】
本発明の他のある局面では、通信網を経由した通信接続を用いた温水供給装置の遠隔操作方法において、温水供給装置は給湯機能を有する。遠隔制御方法は、操作端末に対する、温水供給装置の給湯設定温度の変更入力を受け付けるステップと、変更入力による変更後の給湯設定温度が予め定められた高温領域内であるときに、操作端末へのパスワードの入力要求を生成するステップと、入力要求に応じて操作端末へ入力されたパスワードが予め定められた登録パスワードと一致したときに、温水供給装置に対する給湯設定温度の変更指令を生成するステップと、入力されたパスワードが登録パスワードとは不一致のときに、温水供給装置に対する給湯設定温度の変更指令を非生成とするステップとを備える。【００１１】
本発明のさらに他のある局面では、プログラムは、プロセッサを備えるコンピュータに、通信網を経由した通信接続を用いた温水供給装置の遠隔操作のために、通信網に接続可能な操作端末に対する、給湯機能を有する温水供給装置の給湯設定温度の変更入力を受け付けるステップと、変更入力による変更後の給湯設定温度が予め定められた高温領域内であるときにパスワードの入力要求を操作端末に対して生成するステップと、入力要求に応じて操作端末へ入力されたパスワードが予め定められた登録パスワードと一致したときに、温水供給装置に対する給湯設定温度の変更指令を生成するステップと、入力されたパスワードが登録パスワードとは不一致のときに、温水供給装置に対する給湯設定温度の変更指令を非生成とするステップとを、実行させる。
【発明の効果】
【００１２】
本発明によれば、通信網を経由した通信接続を用いた、給湯機能を有する温水供給装置の遠隔制御において、温水供給装置を使用中の在宅ユーザの快適性の低下を抑制することができる。
【図面の簡単な説明】
【００１３】
【図１】本実施の形態に従う温水供給装置の遠隔操作システムの構成例を示すブロック図である。
【図２】図１に示された温水供給装置の一例である給湯器の構成例を説明するブロック図である。
【図３】図１に示されたスマートフォンの概略構成を説明するブロック図である。
【図４】図１に示されたクラウドサーバおよびアプリケーションサーバを構成するサーバ装置の概略構成図である。
【図５】本実施の形態１に従う温水供給装置の遠隔操作における給湯設定温度の変更に係る制御処理を説明するフローチャートである。
【図６】遠隔操作のための入力画面の一例を示す概念図である。
【図７】パスワードの入力要求画面の一例を示す概念図である。
【図８】本実施の形態１に従う温水供給装置の遠隔操作における運転オンオフの変更に係る制御処理を説明するフローチャートである。
【図９】実施の形態２に従う温水供給装置の遠隔操作システムにおいて操作対象となる暖房給湯器の構成例を説明するブロック図である。
【図１０】実施の形態２に従う温水供給装置の遠隔操作における運転オンオフの変更に係る制御処理の第１の例を説明するフローチャートである。
【図１１】実施の形態２に従う温水供給装置の遠隔操作における運転オンオフの変更に係る制御処理の第２の例を説明するフローチャートである。
【図１２】実施の形態２に従う温水供給装置の遠隔操作における暖房能力の変更に係る制御処理を説明するフローチャートである。
【図１３】実施の形態２に従う温水供給装置の遠隔操作システムにおける操作対象の変形例を示すブロック図である。
【図１４】実施の形態３に従う遠隔操作におけるパスワードの入力不要期間を設けるための制御処理を説明するフローチャートである。
【図１５】実施の形態３に従う遠隔操作における給湯設定温度の変更入力に係る制御処理を説明するフローチャートである。
【図１６】実施の形態３に従う温水供給装置の遠隔操作における運転オンオフの変更に係る制御処理の第１の例を説明するフローチャートである。
【図１７】実施の形態３に従う温水供給装置の遠隔操作における運転オンオフの変更に係る制御処理の第２の例を説明するフローチャートである。
【図１８】実施の形態３に従う温水供給装置の遠隔操作システムにおける暖房能力の変更に係る制御処理を説明するフローチャートである。
【発明を実施するための形態】
【００１４】
以下に、本発明の実施の形態について図面を参照して詳細に説明する。なお、以下では図中の同一または相当部分には同一符号を付してその説明は原則的に繰返さないものとする。
【００１５】
［実施の形態１］
図１は、本実施の形態に従う温水供給装置の遠隔制御システムの構成例を示すブロック図である。
【００１６】
図１を参照して、温水供給システム１０は、遠隔制御の対象となる温水供給装置１００と、温水供給装置１００の運転操作指令を入力するためのリモートコントローラ（以下、単に「リモコン」とも称する）１０５とを含む。
【００１７】
温水供給システム１０において、温水供給装置１００およびリモコン１０５は、２芯通信線５０を介して相互に通信可能に接続される。より詳細には、温水供給装置１００およびリモコン１０５の各々には、マイクロコンピュータ等を含む制御部（図示せず）が内蔵されており、これらの制御部同士が所定の通信プロトコルで２芯通信線５０を介して、シリアル通信可能に構成されている。また、温水供給装置１００は、外部機器用の電源電圧を２芯通信線５０に出力するよう構成することが可能である。この場合には、通信データは電源電圧に重畳させることができる。
【００１８】
さらに、温水供給装置１００の制御部は、２芯通信線５０を介して、通信アダプタ４０と接続される。例えば、温水供給システム１０および通信アダプタ４０は、屋外、例えば住宅の外壁の周辺やガレージなどに設置することができる。実施の形態１では、温水供給装置１００は、給湯機能を有する給湯器１００ａによって構成される。
【００１９】
図２は、温水供給装置の一例である給湯器の構成例を説明するブロック図である。
図２を参照して、給湯器１００ａは、燃焼バーナ１０２および熱交換器１０４等が格納された燃焼缶体（以下、単に「缶体」とも称する）１０１と、入水管１１２と、出湯管１１５と、バイパス管１１６と、バイパス流量弁１２０と、マイクロコンピュータを備えて構成されたコントローラ１３０とを有する。コントローラ１３０は、上述した温水供給装置１００の制御部に相当する。
【００２０】
入水管１１２には、図示しない給水栓の開栓に応じて、水道水圧等を供給圧として低温水が導入される。入水管１１２は、熱交換器１０４の入力側と接続される。熱交換器１０４を通過する低温水は、燃焼バーナ１０２の発生熱量によって加熱される。例えば、燃焼バーナ１０２は、供給された燃料ガスを図示しないバーナで燃焼することによって熱量を発生する。燃焼バーナ１０２の発生熱量は、バーナの点火本数や燃料ガスの流量により、コントローラ１３０によって制御することができる。熱交換器１０４で加熱された高温水は、出湯管１１５へ出力される。
【００２１】
さらに、入水管１１２からは、バイパス流量弁１２０が配置されたバイパス管１１６が分岐される。したがって、入水管１１２に供給された低温水は、バイパス流量弁１２０の開度に従った分配比でバイパス管１１６へ分配される。バイパス流量弁１２０の開度は、コントローラ１３０によって制御される。
【００２２】
出湯管１１５には、バイパス管１１６との合流点１１７が設けられる。そして、熱交換器１０４で加熱された高温水と、バイパス管１１６を通過した低温水とが混合されて、給湯器１００ａから図示しない給湯栓等へ供給される。すなわち、バイパス流量弁１２０の開度によって、高温水および低温水の混合比率を制御することができる。
【００２３】
入水管１１２には低温水温度Ｔｗを検出する温度センサ１２１が配置され、熱交換器１０４の下流側には、加熱後の高温水温度Ｔｈを検出する温度センサ１２２が配置される。さらに、出湯管１１５の合流点１１７よりも下流側には、出湯温度Ｔｏを検出する温度センサ１２３が配置され、入水管１１２には、低温水の流量センサ１２５が配置される。
【００２４】
コントローラ１３０には、給湯器１００ａの運転指令が入力される。例えば、運転指令は、給湯器１００ａの運転オン状態および運転オフ状態を切換えるための運転オンオフ指令、および、給湯設定温度を含む。コントローラ１３０は、バイパス流量弁１２０の開度ならびに燃焼バーナ１０２の作動／停止および発生熱量を制御する。
【００２５】
コントローラ１３０は、給湯器１００ａの運転オン状態において、給湯栓の開栓によって流量センサ１２５の検出流量が所定量（いわゆる、最小作動流量：ＭＯＱ）よりも多いと、燃焼バーナ１０２を作動させて出湯管１１５から給湯する。一方で、給湯器１００ａの運転オフ状態では、流量センサ１２５の検出流量によらず、燃焼バーナ１０２は停止状態（非燃焼）に維持される。
【００２６】
コントローラ１３０は、燃焼バーナ１０２の作動時、すなわち、給湯時には、高温水温度Ｔｈが給湯設定温度よりも高い高温水設定温度となるように、燃焼バーナ１０２の発生熱量を制御する。さらに、コントローラ１３０は、出湯温度Ｔｏが給湯設定温度と一致するように、バイパス流量弁１２０の開度を制御する。なお、バイパス管１１６およびバイパス流量弁１２０の配置を省略して、低温水の全量が熱交換器１０４を通流する構成とすることも可能である。
【００２７】
再び図１を参照して、通信アダプタ４０は、屋内に配置された無線ＬＡＮ（Local  Area  Network）ルータ６０との間で、所定の通信プロトコル（例えばIEEE802.11n等）で無線通信を行うための無線通信コントローラ（図示せず）を内蔵する。例えば、無線通信コントローラとしては、カスタムプログラミング可能な市販の無線ＬＡＮモジュールを用いることが可能である。
【００２８】
無線ＬＡＮルータ６０は、インターネット網（通信網）に接続されている。無線ＬＡＮルータ６０は、無線ＬＡＮの親機として機能することにより、複数台の無線ＬＡＮ子機を無線接続することも可能である。
【００２９】
スマートフォン３０および通信アダプタ４０は、無線ＬＡＮ子機として動作可能であり、無線ＬＡＮルータ６０との無線リンクが確立されると、無線ＬＡＮルータ６０を介してインターネットに接続することが可能である。あるいは、スマートフォン３０は、無線ＬＡＮルータ６０を経由したインターネット接続が不可の場合には、４Ｇ回線や３Ｇ回線などの移動体通信網を介してインターネット網に接続するように構成されている。
【００３０】
図３は、図１に示されたスマートフォン３０の概略構成図である。
図３を参照して、スマートフォン３０は、ＣＰＵ（Central  Processing  Unit）３１、タッチスクリーン３２、メモリ３４、電源のオンオフ等のボタン（操作部）３５、通信インターフェイス３６、音声出力のためのスピーカ３７、および、メモリＩ／Ｆ（Interfaceの略）３８を含む。通信インターフェイス３６は、スマートフォン３０の外部機器との通信機能として、少なくとも、通信アダプタ４０との通信接続機能、無線ＬＡＮルータ６０との通信接続機能、および、移動体通信網との通信接続機能を有する。
【００３１】
メモリＩ／Ｆ３８は、外部から着脱自在に装着されるメモリカード３９のデータを読み書きするメモリドライバに相当する。ここでは、装着される記憶媒体の種類をメモリカードとしたが、これに限定されない。
【００３２】
タッチスクリーン３２は、ディスプレイ３３ａおよびタッチパネル（タブレット）３３ｂで構成された表示一体型入力装置を構成することができる。あるいは、ディスプレイと操作部（ボタン、キー等）を個別に設けることも可能である。
【００３３】
メモリ３４は、各種のＲＡＭ（Random  Access  Memory）、ＲＯＭ（Read  Only  Memory）、フラッシュメモリ、ハードディスク等によって実現される。メモリ３４は、ＣＰＵ３１によって実行される各種プログラムを格納する。ＣＰＵ３１は、メモリ３４に記憶されている各種のプログラムを実行することによって、各種の制御処理等を実行することができる。
【００３４】
再び図１を参照して、本実施の形態に従う温水供給装置の遠隔制御システムでは、管理センター２０およびサポートセンター７０がインターネット網（通信網）に接続される。管理センター２０は、クラウドサーバ２１ａおよびアプリケーションサーバ２１ｂを含む。クラウドサーバ２１ａおよびアプリケーションサーバ２１ｂは、インターネット網若しくは専用回線を介して相互に通信可能に接続されており、互いに連携して各種サービスを提供することができる。
【００３５】
図４は、クラウドサーバ２１ａおよびアプリケーションサーバ２１ｂを構成するサーバ装置２１の概略構成図である。
【００３６】
図４を参照してサーバ装置２１は、装置全体を制御するためのＣＰＵ２５と、ＣＰＵ２５と接続された、通信ユニット２６およびメモリ２７とを含む。通信ユニット２６は、通信網（インターネット）に接続された通信によって、他の機器またはサーバと通信する機能を有する。
【００３７】
メモリ２７は、例えば、一例として、ＣＰＵ２５で実行されるプログラムを記憶するためのメモリであるＲＯＭ２７ａ、ＣＰＵ３０でプログラムを実行する際の作業領域となったり計算値を記憶したりするためのメモリであるＲＡＭ２７ｂ、および、大型の記憶装置の一例としてのＨＤＤ（Hard  Disk  Drive）２７ｃを含む。
【００３８】
サーバ装置２１は、一般的なコンピュータに相当する機能を有して構成することができる。サーバ装置２１は、操作入力を受け付けるための操作部およびディスプレイの少なくとも一方をさらに含んでもよい。
【００３９】
再び図１を参照して、クラウドサーバ２１ａは、主として、各家庭に設置された多数の通信アダプタ４０が常時接続されて、これらの通信アダプタ４０との間で通信することにより、各家庭の温水供給システム１０の各種情報を収集するとともに管理する。例えば、収集する情報には、単位時間毎の給湯量、消費燃料量、給湯温度、および、各温水供給システム１０で発生したエラー情報などを含むことができる。
【００４０】
アプリケーションサーバ２１ｂは、各家庭の多数のユーザのための多数のユーザアカウントを管理するとともに、ユーザが保有するスマートフォン３０などの操作端末からのログインを受け付けて、ユーザが所有する操作端末に対して各種サービスを提供する。
【００４１】
好ましくは、アプリケーションサーバ２１ｂが提供するサービスを利用するための専用アプリケーションソフトウェアをスマートフォン３０にインストールして、該アプリケーションソフトウェアからログイン操作およびログイン後の各種操作を行えるようにすることができる。あるいは、Ｗｅｂベースのサービス提供を行うことにより、適宜のＷｅｂブラウザを用いてログインその他の操作を行えるようにすることもできる。
【００４２】
なお、アプリケーションサーバ２１ｂは、スマートフォン３０などのユーザ端末に対するアプリケーションサービスのみを提供するものとし、ユーザアカウントを含む顧客情報はさらに別の顧客情報管理サーバによって管理するよう構成することも可能である。あるいは、クラウドサーバ２１ａおよびアプリケーションサーバ２１ｂは、一体化されたサーバ装置により構成されてもよい。
【００４３】
通信アダプタ４０の制御部（図示せず）は、温水供給システム１０との通信によって温水供給装置１００やリモコン１０５の制御部が記憶保持している温水供給システム１０に関する各種情報を収集するとともに、収集した情報を、通信網（インターネット）を経由した通信によって、管理センター２０（より特定的には、クラウドサーバ２１ａ）に送信することができる。さらに、通信アダプタ４０は、管理センター２０またはユーザが所有するスマートフォン３０から受信した温水供給システム１０の操作指令を送信することによって、温水供給装置１００の遠隔操作を実現することができる。
【００４４】
本実施の形態に従う遠隔操作は、温水供給装置１００を遠隔操作するためのサービスであり、ユーザ所有のスマートフォン３０、現場作業員用のタブレット端末８０、サポートセンター７０の端末７１、あるいは、パーソナルコンピュータ（図示せず）等を「操作端末」として、通信網（インターネット）を経由した通信接続を用いて行われる。具体的には、操作端末に対する温水供給システム１０の運転に関する変更操作、例えば、上述の給湯運転のオン／オフの切換操作および給湯設定温度の変更操作に従って、温水供給装置１００を動作させることができる。
【００４５】
例えば、ユーザによる遠隔操作は、上述した専用アプリケーションソフトウェアの１つとして提供することができる。例えば、遠隔操作は、スマートフォン３０などからアプリケーションサーバ２１ｂにログインすることによって実行可能となる。すなわち、アプリケーションサーバ２１ｂにログインすると、当該ユーザアカウントに関連付けられた通信アダプタ４０を経由して、コントローラ１３０に入力される運転指令（運転オンオフ指令や給湯設定温度指令）を、リモコン１０５からのみでなく、通信アダプタ４０を経由して温水供給システム１０の外部から入力することができる。
【００４６】
図５は、本実施の形態１に従う温水供給装置の遠隔操作における給湯設定温度の変更に係る制御処理を説明するフローチャートである。図５には、給湯設定温度の変更入力に関する制御処理が示されており、給湯器１００ａの運転オンオフの変更入力に関する制御処理は、後程説明する図８に示される。
【００４７】
図５を含む各フローチャートでは、遠隔操作のための「操作端末」としてスマートフォン３０が用いられた場合を想定する。したがって、図５を含む各フローチャートに示された制御処理は、スマートフォン３０のＣＰＵ３１によって実行することができる。
【００４８】
本実施の形態では、図５を含む各フローチャートに示された、遠隔操作のための制御処理は、遠隔操作のための専用アプリケーションソフトウェアの起動およびログイン後に、予め定められた遠隔操作のための入力画面が表示されたときに起動されるものとする。
【００４９】
図６には、遠隔操作のための入力画面の一例が示される。
図６を参照して、遠隔操作のための入力画面は、スマートフォン３０のタッチスクリーン３２に表示される。入力画面には、給湯設定温度に関する、表示バー２００、操作ポインタ２１０および、表示アイコン２２０と、運転オンオフ指令に関する、表示バー２３０、操作ポインタ２３５および、表示アイコン２４０とが表示される。
【００５０】
表示バー２００は、給湯設定温度の設定可能範囲（図６の例では、３５℃〜５５℃）を示しており、操作ポインタ２１０はユーザの接触時に、スライド操作に応じて表示バー２００上を移動するように表示される。ＣＰＵ３１は、表示バー２００上における操作ポインタ２１０の位置に従って、給湯設定温度を演算することができる。表示アイコン２２０は、演算された給湯設定温度を示す数値データを表示する。
【００５１】
ＣＰＵ３１は、操作ポインタ２１０のユーザ操作を検知すると、操作後の操作ポインタ２１０の位置に従う温度への給湯設定温度の変更入力を受け付ける。なお、表示バー２００上には、後述する高温領域の境界線２０５をさらに表示することも可能である。図６の例では、操作ポインタ２１０が境界線２０５よりも右側に位置するときに、給湯設定温度が高温領域内となる。
【００５２】
表示バー２３０は、給湯器１００ａの運転オン状態および運転オフ状態を２値的に示しており、操作ポインタ２３５はユーザの接触時に、スライド操作に応じて表示バー２３０上を左右に移動する。操作ポインタ２３５は、表示バー２３０の左端位置または右端位置に表示される。表示アイコン２４０は、操作ポインタ２３５の位置に応じて給湯器１００ａが運転オン状態および運転オフ状態のいずれであるかを示す文字情報を表示する。
【００５３】
あるいは、運転オンオフ操作のためのソフトスイッチ２５０をユーザが接触操作するたびに、運転オンオフの切換操作を認識することも可能である。この場合には、ソフトスイッチ２５０の操作毎に、操作ポインタ２３５の位置および表示アイコン２４０の内容が変化するように、入力画面を構成することができる。
【００５４】
このように、ＣＰＵ３１は、操作ポインタ２３５またはソフトスイッチ２５０に対するユーザの接触操作に応じて、給湯器１００ａの運転オンオフの変更入力を受け付ける。
【００５５】
再び図５を参照して、ＣＰＵ３１は、ステップＳ１００により、遠隔操作の入力画面に対して、給湯器１００ａの給湯設定温度を変更する操作（すなわち、遠隔操作）が入力されたか否かを判定する。上述したように、給湯設定温度に関する操作ポインタ２１０に対するユーザの接触操作が感知されると、ステップＳ１００がＹＥＳ判定とされて、ステップＳ１１０以降の処理が起動される。一方で、当該接触操作が感知されない場合には、ステップＳ１１０以降の処理の起動が待機される。
【００５６】
ＣＰＵ３１は、操作ポインタ２１０への接触操作を検知すると（Ｓ１００のＹＥＳ判定時）、ステップＳ１１０により、操作後の操作ポインタ２１０の位置から演算された温度への給湯設定温度の変更入力を受け付ける。
【００５７】
ＣＰＵ３１は、ステップＳ１１５により、給湯設定温度の変更入力が、給湯設定温度を上昇させるものであるか否かを判定する。例えば、現在（変更入力前）の給湯設定温度と、変更入力による給湯設定温度の比較により、ステップＳ１１５の判定を実行することができる。
【００５８】
ＣＰＵ３１は、ステップＳ１１０で受け付けた変更入力によって給湯設定温度が上昇される場合（Ｓ１１５のＹＥＳ判定時）には、ステップＳ１２０により、変更後の給湯設定温度が、高温領域を規定するための予め定められた判定温度Ｔｔｈよりも高いか否かを判定する。例えば、Ｔｔｈ＝５０℃に設定することができる。図６の境界線２０５は、表示バー２００上における判定温度Ｔｔｈに対応する位置に表示される。
【００５９】
ＣＰＵ３１は、変更後の給湯設定温度が判定温度Ｔｔｈよりも高いとき（Ｓ１２０のＹＥＳ判定時）には、ステップＳ１３０により、ユーザにパスワードの入力を要求する。これにより、スマートフォン３０のタッチスクリーン３２には、パスワードの入力要求画面が表示される。
【００６０】
図７は、パスワードの入力要求画面の一例を示す概念図である。
図７を参照して、パスワードの入力要求画面は、パスワード入力欄２６０と、照合処理の実行ボタン２６５とを含む。例えば、タッチスクリーン３２の一部を用いて表示されたソフトウェアキーボードでの数字キーまたは英字キーの接触操作によって、ユーザはパスワード入力欄２６０にパスワードを入力することができる。図７には、ソフトウェアキーボードによるパスワード入力後に、上記ソフトウェアキーボードの表示が取り消された状態が例示されている。
【００６１】
ユーザが実行ボタン２６５を接触操作することによって、パスワード入力欄２６０に入力されたパスワードのパスワード照合処理が実行される。パスワードの入力要求画面には、ユーザに対する警告メッセージ２７０をさらに表示することが好ましい。
【００６２】
警告メッセージ２７０は、ユーザの変更入力に従って給湯器１００ａを遠隔操作したときに在宅ユーザに影響が生じる可能性を想起させるための文字情報を表示する。図７に例示された警告メッセージ２７０は、給湯設定温度を高温領域に設定することによる、在宅ユーザへの影響について報知している。
【００６３】
再び図５を参照して、ＣＰＵ３１は、図７に示したパスワード入力画面において実行ボタン２６５が操作されるのに応じて、ステップＳ１４０によるパスワード照合処理を実行する。
【００６４】
例えば、給湯器１００ａの遠隔操作のためのパスワードは、専用アプリケーションソフトウェアによる処理の１つとして、ユーザが予め登録することができる。予め登録されたパスワード（以下、「登録パスワード」とも称する）は、アプリケーションサーバ２１ｂあるいは他の管理サーバに格納することができる。
【００６５】
ステップＳ１４０では、図７のパスワード入力欄２６０に入力されたパスワード（以下、「入力パスワード」とも称する）が、登録パスワードと照合される。スマートフォン３０からアプリケーションサーバ２１ｂに入力パスワードを送信すると、サーバ側で照合処理を実行することができる。この場合には、照合結果、すなわち、認証の可否を示すデータが、アプリケーションサーバ２１ｂからスマートフォン３０に送信される。あるいは、反対に、登録パスワードをアプリケーションサーバ２１ｂからスマートフォン３０に送信すると、操作端末（スマートフォン３０）側で照合処理を実行することができる。このように、少なくともパスワードの照合処理において、スマートフォン３０等の操作端末と、登録パスワードの格納先（サーバ）との間で、通信網（インターネット）を経由した通信接続が用いられる。
【００６６】
ＣＰＵ３１は、ステップＳ１５０により、入力パスワードおよび登録パスワードが一致した場合（Ｓ１５０のＹＥＳ判定時）には、ステップＳ１６０に処理を進めて、ステップＳ１１０で受け付けられた変更入力に従って、給湯設定温度の変更指令を生成する。
【００６７】
ステップＳ１６０で生成された給湯設定温度の変更指令は、通信アダプタ４０を経由して、給湯器１００ａのコントローラ１３０（図２）に入力される。これにより、コントローラ１３０は、給湯器１００ａの給湯設定温度を変更する。
【００６８】
これに対して、ＣＰＵ３１は、入力パスワードおよび登録パスワードが不一致の場合（Ｓ１５０のＮＯ判定時）には、ステップＳ１７０に処理を進めて、給湯設定温度の変更指令を非生成とする。この結果、給湯器１００ａのコントローラ１３０には、給湯設定温度の変更指令が入力されないため、給湯器１００ａの給湯設定温度は維持される。
【００６９】
なお、ステップＳ１７０の実行時には、スマートフォン３０のタッチスクリーン３２上に、パスワードが不一致であったため、給湯温度設定値が変更されなかったことを報知するメッセージを、タッチスクリーン３２に表示することが好ましい。
【００７０】
さらに、ＣＰＵ３１は、給湯設定温度の変更入力が温度を上昇するものでないとき、すなわち、変更後の給湯設定温度が現在の給湯設定温度以下であるときには、ステップＳ１１５をＮＯ判定として、ステップＳ１６０に処理を進める。同様に、ＣＰＵ３１は、給湯設定温度を上昇する変更入力が受け付けられた場合であっても、変更後の給湯設定温度が判定温度Ｔｔｈ以下であるときには、ステップＳ１２０をＮＯ判定としてステップＳ１６０に処理を進める。これらの場合には、パスワード入力を要しない遠隔操作により、給湯器１００ａの給湯設定温度の変更指令が生成される。
【００７１】
このように、実施の形態１によれば、給湯機能を有する給湯器１００ａを対象とする遠隔操作において、高温領域内まで給湯設定温度を上昇させる場合には、ワンタッチ操作による変更ではなく、ユーザにパスワード入力を求めた上で、実際に給湯設定温度を変更することができる。したがって、在宅ユーザによる給湯器１００ａの使用中に、誤タッチ等の操作ミスやうっかり操作による遠隔操作によって、給湯設定温度が高温領域まで上昇することを防止できるので、ユーザの快適性低下を避けることができる。
【００７２】
一方で、給湯設定温度を低下させる遠隔操作に対しては、パスワード入力を求めることなく、給湯設定温度を変更することができる。したがって、ユーザが速やかに給湯設定温度を下げたい場合におけるユーザ利便性を向上することができる。
【００７３】
また、変更後の給湯設定温度が高温領域外である遠隔操作に対しても、パスワード入力を求めることなく、給湯設定温度を変更することができるので、過度のパスワード入力要求によるユーザ利便性の低下を回避できる。
【００７４】
さらに、給湯器１００ａに対する運転オンオフの遠隔操作についても、パスワード入力の対象外とすることができる。
【００７５】
図８には、給湯器１００ａの運転オンオフの変更入力に対する制御処理を説明するフローチャートが示される。
【００７６】
図８を参照して、ＣＰＵ３１は、ステップＳ２００により、遠隔操作の入力画面に対して、給湯器１００ａの運転オンオフを変更する操作（すなわち、遠隔操作）が入力されたか否かを判定する。例えば、図６の入力画面において、運転オンオフ指令に関する、操作ポインタ２３５またはソフトスイッチ２５０に対するユーザの接触操作が感知されると、ステップＳ２００がＹＥＳ判定とされて、ステップＳ２１０以降の処理が起動される。一方で、当該接触操作が感知されない場合には、ステップＳ２１０以降の処理の起動が待機される。
【００７７】
ＣＰＵ３１は、操作ポインタ２３５またはソフトスイッチ２５０への接触操作を検知すると（Ｓ２００のＹＥＳ判定時）、ステップＳ２１０により、運転オンオフの変更入力を受け付けるとともに、ステップＳ２２０に処理を進める。
【００７８】
ＣＰＵ３１は、ステップＳ２２０では、ユーザにパスワード入力を要求することなく、受け付けられた変更入力に従って、給湯器１００ａの運転オンオフ指令を生成する。生成された運転オンオフ指令は、通信アダプタ４０を経由して、給湯器１００ａのコントローラ１３０（図２）に入力される。これにより、給湯器１００ａは、運転オフ状態であるときには運転オン状態に切換えられ、運転オン状態であるときには運転オフ状態に切換えられる。
【００７９】
給湯機能のみを有する給湯器１００ａが遠隔操作の対象である場合には、ユーザの利便性を優先して、パスワード入力要求を省略することができる。このように、実施の形態１に従う温水供給装置の遠隔操作システムにおいて、給湯器１００ａは、給湯機能を有する温水供給装置の一実施例に対応する。
【００８０】
また、図５に示された制御処理において、ステップＳ１１５による処理は省略することが可能である。すなわち、ステップＳ１２０による、変更後の給湯設定温度が高温領域内であるか否かに応じて、パスワード入力を要求するか否かを切換える制御のみとしても、実施の形態１に従う遠隔操作を実現することができる。
【００８１】
なお、実施の形態１に従う温水供給装置の遠隔操作システムにおいて、ステップＳ１１０の処理によって、「（第１の）受付処理部」の機能が実現され、ステップＳ１２０（ＹＥＳ判定時）およびＳ１３０の処理によって、「（第１の）パスワード要求処理部」の機能が実現される。また、ステップＳ１５０（ＹＥＳ判定時）およびＳ１６０の処理によって「第１の温度指令制御部」の機能が実現され、ステップＳ１５０（ＮＯ判定時）およびＳ１７０の処理によって「第２の温度指令制御部」の機能が実現される。さらに、ステップＳ１１５（ＮＯ判定時）およびＳ１６０の処理によって「第３の温度指令制御部」の機能を実現することができる。
【００８２】
［実施の形態２］
実施の形態２では、遠隔操作の対象となる温水供給装置が給湯機能および暖房機能の両方を有する暖房給湯器である場合の遠隔操作について説明する。
【００８３】
図９は、実施の形態２に従う温水供給装置の遠隔操作システムにおいて操作対象となる暖房給湯器１００ｂの構成を説明するブロック図である。実施の形態２に従う遠隔制御システムでは、図１の構成において、温水供給システム１０内で給湯器１００ａに代えて暖房給湯器１００ｂが接続される。図１に示されたその他の部分のシステム構成は、実施の形態２においても同様である。
【００８４】
図９を図２と比較して、暖房給湯器１００ｂは、給湯器１００ａと比較して、暖房装置１８０に対する熱媒体（高温水）の供給機能を有する点で異なる。また、暖房給湯器１００ｂでは、入水管１１２に導入された低温水を、熱媒体との熱交換によって加熱することで、出湯管１１５からの給湯機能が実現される。
【００８５】
図９を参照して、暖房給湯器１００ｂは、暖房装置１８０と接続される、熱媒体の入力端１４１ａおよび出力端１４１ｂと、配管１４３〜１４７と、給湯用熱交換器１５０と、分配弁１６０と、循環ポンプ１７０とを備える。給湯用熱交換器１５０は、一次側経路１５１および二次側経路１５２の間での伝熱機構を有する。
【００８６】
暖房装置１８０は、放熱体１８６を含む。暖房装置１８０は、外部配管１８１および１８２によって、入力端１４１ａおよび出力端１４１ｂの間に接続される。暖房装置１８０は、図示しない制御部をさらに備える。制御部は、暖房給湯器１００ｂのコントローラ１３０に対して、２値信号である暖房運転信号Ｓｓｔを出力する。例えば、ユーザ操作に応じて暖房装置１８０の運転を開始する際に、暖房運転信号Ｓｓｔは「０」から「１」に変化する。一方で、運転中の暖房装置１８０がユーザ操作に応じて停止する際には、暖房運転信号Ｓｓｔは「１」から「０」に変化する。
【００８７】
配管１４３は、入力端１４１ａおよび熱交換器１０４の入力側を接続する。配管１４４は、熱交換器１０４の出力側および分配弁１６０の第１ノード１６０ａを接続する。配管１４５は、分配弁１６０の第２ノード１６０ｂおよび出力端１４１ｂを接続する。
【００８８】
配管１４６は、分配弁１６０の第３ノード１６０ｃおよび給湯用熱交換器１５０の一次側経路１５１の入力側を接続する。配管１４７は、給湯用熱交換器１５０の一次側経路１５１の出力側を配管１４３と接続する。
【００８９】
分配弁１６０の開度によって、第１ノード１６０ａおよび第２ノード１６０ｂの経路の流量と、第１ノード１６０ａおよび第３ノード１６０ｃの経路の流量との比率が制御される。循環ポンプ１７０は、配管１４３において、配管１４７との合流点よりも下流側（熱交換器１０４側）に配設される。
【００９０】
配管１４３には、熱媒体の入力温度Ｔｉを検出するための温度センサ１２６が配置される。熱交換器１０４の出力側に配置された温度センサ１２７は、熱交換器１０４による加熱後の熱媒体の温度を検出する。
【００９１】
給湯側において、入水管１１２は、給湯用熱交換器１５０の二次側経路１５２の入力側と接続される。出湯管１１５は、給湯用熱交換器１５０の二次側経路１５２の出力側と接続される。バイパス管１１６およびバイパス流量弁１２０は、図２と同様に、入水管１１２および出湯管１１５の間に接続される。温度センサ１２１，１２３は、図２と同様に配置されて、入水管１１２の低温水温度Ｔｗおよび出湯管１１５の出湯温度Ｔｏを検出する。温度センサ１２２は、二次側経路１５２の出力側に配置されて、給湯用熱交換器１５０による加熱後の高温水温度Ｔｈを検出する。流量センサ１２５は、入水管１１２に導入される流量を検出する。
【００９２】
コントローラ１３０には、温度センサ１２１〜１２３，１２６，１２７によって検出された、低温水温度Ｔｗ、高温水温度Ｔｈ、出湯温度Ｔｏ、ならびに、熱媒体の入力温度Ｔｉおよび出力温度Ｔｈｍが入力される。さらに、コントローラ１３０には、流量センサ１２５による検出流量Ｑ１および暖房装置１８０からの暖房運転信号Ｓｓｔが入力される。
【００９３】
コントローラ１３０は、バイパス流量弁１２０の開度、ならびに、燃焼バーナ１０２の作動／停止および発生熱量に加えて、循環ポンプ１７０の作動／停止、および、分配弁１６０の開度をさらに制御する。
【００９４】
コントローラ１３０には、暖房給湯器１００ｂの運転指令が入力される。例えば、運転指令は、暖房給湯器１００ｂの運転オン状態および運転オフ状態を切換えるための運転オンオフ指令、および、給湯運転での給湯設定温度に加えて、段階的に設定される暖房運転の暖房能力が入力される。例えば、暖房能力が高く設定される程、熱媒体の出力温度目標値が高く設定される。
【００９５】
次に、暖房給湯器１００ｂの動作を説明する。
循環ポンプ１７０を作動するとともに、分配弁１６０が第１ノード１６０ａおよび第２ノード１６０ｂの間に熱媒体の経路を形成することによって、暖房装置１８０との間で熱媒体を循環するための暖房循環経路を形成することができる。暖房給湯器１００ｂの内部では、暖房循環経路は、入力端１４１ａおよび出力端１４１ｂの間において、配管１４３、熱交換器１０４、配管１４４、分配弁１６０の第１ノード１６０ａおよび第２ノード１６０ｂ、ならびに、配管１４５を含むように形成される。
【００９６】
一方で、分配弁１６０が第１ノード１６０ａおよび第３ノード１６０ｃの間に熱媒体の経路を形成することにより、配管１４６および１４７によって、暖房装置１８０をバイパスした熱媒体が給湯用熱交換器１５０の一次側経路１５１を通流するバイパス経路を形成することができる。これにより、循環ポンプ１７０を作動させることによって、バイパス経路に熱交換器１０４で加熱された熱媒体を通流することができる。また、分配弁１６０の開度に応じて、暖房循環経路の流量に対するバイパス経路への分流比率を制御することができる。
【００９７】
コントローラ１３０は、暖房給湯器１００ｂの運転オン状態において、暖房運転信号Ｓｓｔが「１」に設定されると、循環ポンプ１７０および燃焼バーナ１０２を作動させて、熱媒体を加熱するとともに、上述の暖房循環経路を形成する。燃焼バーナ１０２の発生熱量は、熱媒体の出力温度Ｔｈｍが、設定された暖房能力に対応する出力温度目標と一致するように制御される。
【００９８】
暖房運転中に、給湯栓（図示せず）が閉栓されており流量センサ１２５の検出流量Ｑ１が所定の最低流量よりも少ない場合には、暖房運転のみが実行されるので、分配弁１６０は、熱媒体の全量が暖房循環経路を通流するように制御される。
【００９９】
一方で、暖房運転中に、給湯栓（図示せず）が開栓されて流量センサ１２５の検出流量Ｑ１が最低流量を超えると、暖房および給湯の同時運転が実行される。同時運転では、循環ポンプ１７０および燃焼バーナ１０２が作動した状態で、分配弁１６０は、加熱後の熱媒体の一部がバイパス経路を通流するように制御される。これにより、給湯用熱交換器１５０では、入水管１１２から二次側経路１５２に導入された低温水が、一次側経路１５１を通流する熱媒体によって加熱される。この結果、出湯管１１５からは、給湯用熱交換器１５０による加熱後の高温水と、バイパス管１１６を通過した低温水とを混合して給湯することができる。バイパス流量弁１２０の開度調整によって、出湯温度Ｔｏは給湯温度目標値に制御される。
【０１００】
暖房給湯器１００ｂの運転オン状態において、暖房運転信号Ｓｓｔが「０」である下で、給湯栓（図示せず）が開栓されて流量センサ１２５の検出流量Ｑ１が最低流量を超えると、給湯運転のみが実行される。給湯運転においても、循環ポンプ１７０および燃焼バーナ１０２が作動される。さらに、分配弁１６０は、熱交換器１０４で加熱された熱媒体の全量がバイパス経路を通流するように、制御される。給湯運転における熱媒体の出力温度目標値は、暖房運転および同時運転とは異なる値に設定されることが好ましい。給湯運転においても、出湯温度Ｔｏは、バイパス流量弁１２０の開度調整によって給湯温度目標値に制御される。
【０１０１】
これに対して、暖房給湯器１００ｂでは、運転オフ状態では、暖房運転信号Ｓｓｔが「１」であっても、または、流量センサ１２５の検出流量Ｑ１が最低流量を超えたことが検知されても、燃焼バーナ１０２は停止状態に維持される。すなわち、熱媒体は加熱されないので、暖房運転、給湯運転、および同時運転のいずれも開始されない。なお、暖房給湯器１００ｂが複数個の暖房装置１８０に対して熱媒体を供給する構成では、複数の暖房装置１８０のうちの少なくとも１台の運転中には暖房運転信号Ｓｓｔを「１」とし、全ての暖房装置１８０が停止しているときに暖房運転信号Ｓｓｔを「０」として、上述した暖房運転の実行および停止を制御することができる。
【０１０２】
暖房給湯器１００ｂの給湯運転および同時運転における、給湯設定温度は、実施の形態１と同様の遠隔操作によって変更することができる。すなわち、遠隔操作による変更後の給湯設定温度が高温領域内である場合には、ユーザにパスワード入力が要求され、かつ、入力パスワードが登録パスワードと一致した場合に限り、給湯設定温度の変更が有効化される。
【０１０３】
一方で、暖房機能を有する暖房給湯器１００ｂを遠隔操作する実施の形態２では、運転オンオフの変更入力に対する制御処理が、給湯機能のみを有する給湯器１００ａのケースとは異なる。
【０１０４】
さらに、実施の形態２では、暖房給湯器１００ｂによる暖房能力の変更についても、遠隔操作の対象に加えられる。例えば、図６に示した入力画面において、暖房能力を段階的に設定するための表示ポインタ等を追加することができる。
【０１０５】
図１０は、実施の形態２に従う温水供給装置の遠隔操作における運転オンオフの変更入力に対する制御処理を説明するフローチャートである。
【０１０６】
図１０を参照して、ＣＰＵ３１は、ステップＳ３００により、遠隔操作の入力画面に対して、暖房給湯器１００ｂの運転オンオフを変更する操作（すなわち、遠隔操作）が入力されたか否かを判定する。上述したように、遠隔操作の入力画面において、タッチスクリーン３２上に表示された、運転オンオフ指令に関する、操作ポインタあるいはソフトスイッチに対するユーザの接触操作が感知されると、ステップＳ３００がＹＥＳ判定とされて、ステップＳ３１０以降の処理が起動される。一方で、当該接触操作が感知されない場合には、ステップＳ３１０以降の処理の起動が待機される。
【０１０７】
ＣＰＵ３１は、暖房給湯器１００ｂの運転オンオフを変更する遠隔操作の入力を検知すると（Ｓ３００のＹＥＳ判定時）、ステップＳ３１０により、運転オンオフの変更入力を受け付けるとともに、ステップＳ３１５に処理を進める。
【０１０８】
ＣＰＵ３１は、ステップＳ３１５では、受け付けられた運転オンオフの変更入力が、運転オン状態から運転オフ状態への切換を指示するものであるかを判定する。ステップＳ３１０による変更入力の受付時に、暖房給湯器１００ｂが運転オン状態であるときにはステップＳ３１５はＹＥＳ判定とされる一方で、暖房給湯器１００ｂが運転オフ状態であるときは、ステップＳ３１５はＮＯ判定とされる。
【０１０９】
ＣＰＵ３１は、運転オン状態から運転オフ状態への切換を指示する変更入力が受け付けられたとき（Ｓ３１５のＹＥＳ判定時）には、図５のステップＳ１３０〜Ｓ１５０と同様のステップＳ３２０〜Ｓ３４０を実行する。
【０１１０】
これにより、ステップＳ３２０によってユーザにパスワード入力が要求されるとともに、ステップＳ３３０によって、ユーザによる入力パスワードが登録パスワードと照合される。さらに、ステップＳ３４０によって、パスワードの照合結果に従って、ステップＳ３５０およびＳ３６０に処理が分岐される。
【０１１１】
ＣＰＵ３１は、入力パスワードおよび登録パスワードが一致した場合（Ｓ３４０のＹＥＳ判定時）には、ステップＳ３５０に処理を進めて、ステップＳ３１０で受け付けられた変更入力に従って、暖房給湯器１００ｂの運転オンオフ指令を生成する。この運転オンオフ指令は、通信アダプタ４０を経由して、暖房給湯器１００ｂのコントローラ１３０（図２）に入力される。これにより、コントローラ１３０は、暖房給湯器１００ｂを運転オン状態から運転オフ状態に切換えられる。
【０１１２】
これに対して、ＣＰＵ３１は、入力パスワードおよび登録パスワードが不一致の場合（Ｓ３４０のＮＯ判定時）には、ステップＳ３６０に処理を進めて、運転オンオフ指令を非生成とする。この結果、暖房給湯器１００ｂのコントローラ１３０には、運転オンオフ指令が入力されないため、暖房給湯器１００ｂの給湯オン状態が維持される。ステップＳ３６０においても、スマートフォン３０のタッチスクリーン３２上に、パスワードの照合が不一致であったため、暖房給湯器１００ｂの運転オンオフの変更入力が無効化されたことを報知するメッセージを、タッチスクリーン３２に表示することが好ましい。
【０１１３】
さらに、ＣＰＵ３１は、運転オフ状態から運転オン状態への切換を指示する変更入力が受け付けられたときには、ステップＳ３１５をＮＯ判定として、ステップＳ３５０に処理を進める。これにより、遠隔操作による変更入力に従って、暖房給湯器１００ｂの運転オンオフ指令が生成されて、通信アダプタ４０を経由して暖房給湯器１００ｂへ入力される。これにより、暖房給湯器１００ｂは、パスワード入力を要しない遠隔操作により、運転オフ状態から運転オン状態に切換えられる。
【０１１４】
図１０に示された制御処理によれば、暖房機能を有する暖房給湯器１００ｂを対象とする遠隔操作において、暖房停止を伴う、運転オン状態から運転オフ状態への切換えは、ワンタッチ操作による変更ではなく、ユーザにパスワード入力を求めた上で許可することができる。したがって、誤タッチ等の操作ミスやうっかり操作によって暖房が停止されることを防止できるので、特に、厳寒期における在宅ユーザの快適性を向上することができる。
【０１１５】
したがって、ステップＳ３２０では、ユーザにパスワード入力を要求するための入力画面において、図７の警告メッセージ２７０について、暖房停止によって在宅ユーザに与える可能性がある影響を報知する内容とすることができる。
【０１１６】
あるいは、運転オンオフの変更入力に対する制御処理を変形して、運転オフ状態から運転オン状態への切換についても、パスワード入力を要求することも可能である。
【０１１７】
図１１は、実施の形態２に従う温水供給装置の遠隔操作における運転オンオフの変更入力に対する制御処理の第２の例を説明するフローチャートである。
【０１１８】
図１１を図１０と比較して、ＣＰＵ３１は、図１０のステップＳ３１５の処理を省略することができる。すなわち、ＣＰＵ３１は、ステップＳ３１０によって運転オンオフの変更入力が受け付けられると、ステップＳ３２０〜Ｓ３４０に処理を進める。
【０１１９】
この結果、運転オン状態から運転オフ状態への切換、および、運転オフ状態から運転オン状態への切換のいずれであっても、ユーザにパスワード入力を要求した上で許可されることになる。これにより、誤タッチ等の操作ミスによって、意図しない暖房運転等が起動されることをさらに防止できる。
【０１２０】
図１２は、実施の形態２に従う温水供給装置の遠隔操作における暖房能力の変更入力に対する制御処理を説明するフローチャートである。
【０１２１】
図１２を参照して、ＣＰＵ３１は、ステップＳ４００により、遠隔操作の入力画面に対して、暖房給湯器１００ｂの暖房能力を変更する操作（すなわち、遠隔操作）が入力されたか否かを判定する。上述したように、遠隔操作の入力画面において、タッチスクリーン３２上に表示された、暖房能力の設定に関する、操作ポインタあるいはソフトスイッチに対するユーザの接触操作が感知されると、ステップＳ４００がＹＥＳ判定とされて、ステップＳ４１０以降の処理が起動される。一方で、当該接触操作が感知されない場合には、ステップＳ４１０以降の処理の起動が待機される。
【０１２２】
ＣＰＵ３１は、暖房給湯器１００ｂの暖房能力を変更する遠隔操作の入力を検知すると（Ｓ４００のＹＥＳ判定時）、ステップＳ４１０により、暖房能力の変更入力を受け付けるとともに、ステップＳ３２０〜Ｓ３４０と同様のステップＳ４２０〜Ｓ４４０に処理を進める。これにより、ユーザにパスワード入力が要求される（Ｓ４２０）とともに、ユーザによる入力パスワードが登録パスワードと照合され（Ｓ４３０）、さらに、照合結果に従って処理が分岐される（Ｓ４４０）。
【０１２３】
ＣＰＵ３１は、入力パスワードおよび登録パスワードが一致した場合（Ｓ４４０のＹＥＳ判定時）には、ステップＳ４５０に処理を進めて、ステップＳ４１０で受け付けられた変更入力に従って、暖房能力の変更指令を生成する。この暖房能力の変更指令は、通信アダプタ４０を経由して、暖房給湯器１００ｂのコントローラ１３０（図２）に入力される。これにより、コントローラ１３０は、変更後の暖房能力に従って、熱交換器１０４からの熱媒体の出力温度目標値を変更する。
【０１２４】
これに対して、ＣＰＵ３１は、入力パスワードおよび登録パスワードが不一致の場合（Ｓ４４０のＮＯ判定時）には、ステップＳ４６０に処理を進めて、暖房能力の変更指令を非生成とする。この結果、暖房給湯器１００ｂのコントローラ１３０には、暖房能力の変更指令が入力されないため、暖房給湯器１００ｂの暖房能力、すなわち、熱媒体の出力温度目標値は、現在の設定内容に維持される。ステップＳ４６０においても、スマートフォン３０のタッチスクリーン３２上に、パスワードの照合が不一致であったため、暖房給湯器１００ｂの暖房能力の変更入力が無効化されたことを報知するメッセージを、タッチスクリーン３２に表示することが好ましい。
【０１２５】
このように、実施の形態２に従う温水供給装置の遠隔操作システムによれば、暖房機能および給湯機能の両方を有する暖房給湯器１００ｂの遠隔操作において、誤タッチ等の操作ミスやうっかり操作により運転オンオフまたは暖房能力の変更されることによって、ユーザの快適性が低下することを回避できる。
【０１２６】
なお、実施の形態２に従う温水供給装置の遠隔操作システムにおいて、図１３に示される、暖房機能のみを有する暖房専用給湯器１００ｃを操作対象とすることも可能である。
【０１２７】
図１３は、実施の形態２に従う温水供給装置の遠隔操作システムにおいて操作対象の変形例である暖房専用給湯器１００ｃの構成を示すブロック図である。
【０１２８】
図１３を参照して、実施の形態２に従う遠隔制御システムでは、図１の構成において、温水供給システム１０内で給湯器１００ａに代えて暖房専用給湯器１００ｃを接続することも可能である。
【０１２９】
図１３を図９と比較して、暖房専用給湯器１００ｃは、暖房給湯器１００ｂのうちの、暖房機能に関する構成、すなわち、暖房装置１８０との間での熱媒体を循環するための構成（暖房循環経路）のみを備えている。
【０１３０】
具体的には、図９に示された暖房給湯器１００ｂからは、給湯用熱交換器１５０、分配弁１６０、および、配管１４５〜１４７、ならびに、入水管１１２、出湯管１１５、バイパス管１１６、および、バイパス流量弁１２０の配置が省略される。すなわち、暖房専用給湯器１００ｃでは、循環ポンプ１７０が作動すると、入力端１４１ａおよび出力端１４１ｂの間に、配管１４３、熱交換器１０４、および、配管１４４によって、暖房循環経路を形成することができる。
【０１３１】
コントローラ１３０に対しては、温度センサ１２６および１２７によって検出される、熱媒体の入力温度Ｔｉおよび出力温度Ｔｈｍ、ならびに、暖房機能に関する運転指令が入力される。この運転指令は、暖房専用給湯器１００ｃの運転オン状態および運転オフ状態を切換えるための運転オンオフ指令、および、段階的に設定される暖房運転の暖房能力が含まれる。さらに、コントローラ１３０には、図９と同様に設定される、暖房装置１８０からの暖房運転信号Ｓｓｔが入力される。
【０１３２】
コントローラ１３０は、暖房専用給湯器１００ｃの運転オン状態において、暖房運転信号Ｓｓｔが「１」に設定されると、循環ポンプ１７０および燃焼バーナ１０２を作動させる。これにより、暖房循環経路に加熱された熱媒体が通流することによって、暖房運転が実行される。暖房運転では、燃焼バーナ１０２の発生熱量は、熱媒体の出力温度Ｔｈｍが、設定された暖房能力に対応する出力温度目標と一致するように制御される。
【０１３３】
一方で、暖房専用給湯器１００ｃにおいても、運転オン状態であっても、暖房運転信号Ｓｓｔが「０」に設定されるときには、循環ポンプ１７０および燃焼バーナ１０２は停止状態に維持される。また、運転オフ状態では、暖房運転信号Ｓｓｔが「１」に設定されても、循環ポンプ１７０および燃焼バーナ１０２は停止状態に維持される。すなわち、熱媒体は加熱されないので、暖房運転は開始されない。
【０１３４】
暖房専用給湯器１００ｃの運転オンオフおよび暖房能力は、図１０〜図１２に示した制御処理に従って、実施の形態２と同様の遠隔操作によって変更することができる。すなわち、少なくとも運転オン状態から運転オフ状態への変更、および、暖房能力の変更についてはユーザにパスワード入力を要求するように、遠隔操作を運用することができる。
【０１３５】
なお、実施の形態２に従う温水供給装置の遠隔操作システムにおいて、ステップＳ３１０の処理によって、「（第２の）受付処理部」の機能が実現され、図１０でのステップＳ３１５（ＹＥＳ判定時）およびＳ３２０の処理、または、図１１でのステップＳ３２０の処理によって、「（第２の）パスワード要求処理部」の機能が実現される。また、ステップＳ３４０（ＹＥＳ判定時）およびＳ３５０の処理によって「第１の運転状態制御部」の機能が実現され、ステップＳ３４０（ＮＯ判定時）およびＳ３６０の処理によって「第２の運転状態制御部」の機能が実現される。さらに、ステップＳ４１０の処理によって、「（第３の）受付処理部」の機能が実現され、ステップＳ４２０の処理によって、「（第３の）パスワード要求処理部」の機能が実現される。また、ステップＳ４４０（ＹＥＳ判定時）およびＳ４５０の処理によって「第１の暖房能力制御部」の機能が実現され、ステップＳ４４０（ＮＯ判定時）およびＳ４６０の処理によって「第２の暖房能力制御部」の機能が実現される。
【０１３６】
［実施の形態３］
実施の形態１および２では、遠隔操作に対してパスワード入力を要求することで、ユーザの快適性低下を回避するための制御処理について説明した。一方で、温水供給装置の設置時等、作業員による調整のために給湯設定温度の変更等の遠隔操作が短時間で多数回発生するケースも想定される。このようなケースでは、遠隔操作の度にパスワード入力が繰り返し要求されると、作業性の低下が懸念される。
【０１３７】
したがって、実施の形態３では、一旦パスワードの照合が完了した場合に、パスワードを入力不要とするパスワード省略期間を設けるための制御処理を説明する。
【０１３８】
図１４は、実施の形態３に従う遠隔操作におけるパスワード省略期間を設けるための制御処理を説明するフローチャートである。
【０１３９】
図１４を参照して、実施の形態３では、パスワード省略期間であるかどうかを示すフラグＦＬＧと、当該パスワード省略期間が開始されてからの経過時間を測定するためのカウント値ＣＮＴ、および、カウント値ＣＮＴのクリアを制御するための制御フラグＣＦが導入される。フラグＦＬＧは、パスワード省略期間では「１」に設定される一方で、それ以外の期間では「０」に設定される。
【０１４０】
なお、図１４に示された制御処理についても、図５等と同様に、遠隔操作のための専用アプリケーションソフトウェアの起動およびログイン後に、予め定められた遠隔操作のための入力画面が表示されたときに起動することができる。
【０１４１】
ＣＰＵ３１は、ステップＳ５００により、フラグＦＬＧの値を「０」に初期化する（ＦＬＧ＝０）。そして、ＣＰＵ３１は、パスワード照合を伴って温水供給装置１００に対する変更指令を生成したときには、ステップＳ５１０をＹＥＳ判定として、ステップＳ５２０以降に処理を進める。なお、温水供給装置１００は、給湯器１００ａ、暖房給湯器１００ｂ、および、暖房専用給湯器１００ｃを包括的に表記するものである。例えば、ステップＳ１５０（図５）、ステップＳ３４０（図１０，図１１）、または、ステップＳ４４０（図１２）のＹＥＳ判定時に、ステップＳ５１０は、ＹＥＳ判定とされ、それ以外のタイミングではＮＯ判定とされる。
【０１４２】
したがって、パスワード照合を伴って温水供給装置１００に対する変更指令が生成されるまでは、ステップＳ５１０はＮＯ判定とされて、ステップＳ５２０以降の処理の起動が待機される。
【０１４３】
ＣＰＵ３１は、パスワード照合を伴って温水供給装置１００に対する変更指令を生成すると（Ｓ５１０のＹＥＳ判定時）、ステップＳ５２０により、フラグＦＬＧを「０」から「１」に変更するとともに、カウント値ＣＮＴを初期化する（ＣＮＴ＝０）。
【０１４４】
さらに、ＣＰＵ３１は、ステップＳ５３０により、一定時間間隔でカウント値ＣＮＴをカウントアップし、ステップＳ５４０において、カウント値ＣＮＴが判定値Ｃｔを超えたか否かを判定する。判定値Ｃｔは、パスワード省略期間の設定時間長（例えば、１０〜１５分）に対応したカウント値ＣＮＴに従って設定することができる。
【０１４５】
ＣＰＵ３１は、カウント値ＣＮＴが判定値Ｃｔを超えると（Ｓ５４０のＹＥＳ判定時）、ステップＳ５６０により、フラグＦＬＧを「１」から「０」に変更する。
【０１４６】
一方で、フラグＦＬＧの導入により、実施の形態１で説明した遠隔操作の制御処理が変形される。
【０１４７】
図１５には、実施の形態３に従う遠隔操作における給湯設定温度の変更入力に対する制御処理を説明するフローチャートである。図１５に示された制御処理は、図５に示された制御処理に、パスワード省略期間の設定を組み合わせたものである。
【０１４８】
図１５を図５と比較して、ＣＰＵ３１は、図５と同様のステップＳ１００〜Ｓ１７０に加えて、ステップＳ６００，Ｓ６１０をさらに実行する。
【０１４９】
ＣＰＵ３１は、ステップＳ１２０のＹＥＳ判定時、すなわち、パスワード入力が要求されるべき変更入力である、変更後の給湯設定温度が高温領域内である変更入力が受け付けられた場合には、ステップＳ６００により、フラグＦＬＧの現在の値を確認する。
【０１５０】
ＣＰＵ３１は、フラグＦＬＧ＝０のときには（Ｓ６００のＮＯ判定時）、図５と同様のステップＳ１３０〜Ｓ１７０の処理を実行する。すなわち、ユーザにパスワード入力を要求するとともに、入力パスワードが登録パスワードと一致したことを条件に、給湯設定温度の変更を有効化する。
【０１５１】
これに対して、ＣＰＵ３１は、フラグＦＬＧ＝１のときには（Ｓ６００のＹＥＳ判定時）、ステップＳ６１０により、制御フラグＣＦを「１」に設定するとともに、ステップＳ１６０に処理を進める。この結果、フラグＦＬＧ＝１の期間では、変更後の給湯設定温度が高温領域内である変更入力が受け付けられても、パスワード照合を要することなく、給湯設定温度の変更指令が生成される。
【０１５２】
すなわち、フラグＦＬＧ＝１でパスワード省略期間では、ユーザにパスワード入力を要求することなく、全温度領域に亘って給湯温度設定値を遠隔操作によって変更することができる。また、制御フラグＣＦは、本来パスワード入力が不要である変更入力に応じて変更指令が生成されるとき（ステップＳ１１５またはＳ１２０のＮＯ判定時）には「０」に維持されるが、本来パスワード入力が要求されるべき変更入力に応じて、パスワードを照合することなく変更指令が生成されるときには（ステップＳ１２０およびＳ６００のＹＥＳ判定時）には、「１」に変更される。
【０１５３】
再び図１４を参照して、ＣＰＵ３１は、カウント値ＣＮＴが判定値Ｃｔを超えるまで（Ｓ５４０のＮＯ判定時）の期間では、ステップＳ５５０により制御フラグＣＦの現在の値を確認する。
【０１５４】
ＣＰＵ３１は、ＣＦ＝０のとき（Ｓ５５０のＮＯ判定時）には、ステップＳ５３０に処理を戻して一定時間間隔でカウント値ＣＮＴをカウントアップするとともに、ステップＳ５４０に処理を進めて、カウントアップ後のカウント値ＣＮＴを判定値Ｃｔと比較する。
【０１５５】
一方で、ＣＰＵ３１は、ＣＦ＝１のとき（Ｓ５５０のＹＥＳ判定時）には、ステップＳ５６０によって制御フラグＣＦを「０」に戻した後、ステップＳ５２０に処理を戻す。これにより、ＦＬＧ＝１に維持される一方で、カウント値ＣＮＴが初期化される（ＣＮＴ＝０）。さらに、カウント値ＣＮＴは、再び一定時間間隔でカウントアップされる（Ｓ５３０）とともに、判定値Ｃｔと比較される（Ｓ５４０）。
【０１５６】
したがって、パスワード入力を要する給湯設定温度の変更入力に対して、パスワード照合を経て給湯設定温度の変更指令が生成されると、カウント値ＣＮＴが判定値Ｃｔを超えるまでの間、ＦＬＧ＝１に維持されることにより、パスワード省略期間が設けられる。さらに、制御フラグＣＦを導入してカウント値ＣＮＴを初期化することによって、パスワード省略期間が終了するまでに、パスワード入力が要求されるべき変更指令が生成される毎に、当該パスワード省略期間の時間長を延ばすことができる。
【０１５７】
なお、図１４および図１５の制御処理において、制御フラグＣＦを用いることなく、パスワード省略期間を設けることも可能である。この場合には、図１４では、ステップＳ５５０、Ｓ５６０の処理が省略されて、ステップＳ５４０のＮＯ判定時には、処理は一律にステップＳ５３０に戻される。そして、図１５では、ステップＳ６１０の処理が省略される。この場合には、パスワード照合が行われてから判定値Ｃｔに対応する時間長が経過すると、パスワード省略期間は一律に終了される。すなわち、パスワード省略期間の時間長は、判定値Ｃｔに対応して固定される。
【０１５８】
このように、実施の形態３によれば、給湯機能を有する温水供給装置１００（給湯器１００ａおよび暖房給湯器１００ｂ）を対象とする遠隔操作において、高温領域内まで給湯設定温度を上昇させる変更入力を受け付けた場合には、ユーザにパスワード入力を求めた上で、給湯設定温度の変更を有効化することができるとともに、一旦パスワードの照合が完了した場合には、パスワード省略期間を設けることによって、パスワード入力を過剰に要求しないことにより、調整作業の効率を向上することができる。
【０１５９】
なお、実施の形態２で説明した、暖房機能を有する温水供給装置１００（暖房給湯器１００ｂおよび暖房専用給湯器１００ｃ）を対象とする遠隔操作についても、パスワードの入力不要期間を設定する実施の形態３を適用することができる。
【０１６０】
図１６および図１７には、実施の形態３に従う遠隔操作における、暖房機能を有する温水供給装置の運転オンオフの変更入力に対する制御処理を説明するフローチャートが示される。図１６および図１７に示された制御処理は、図１０および図１１に示された制御処理に、パスワード省略期間の設定を組み合わせたものである。
【０１６１】
図１６を図１０と比較して、ＣＰＵ３１は、図１０と同様のステップＳ３００〜Ｓ３６０に加えて、図１５と同様のステップＳ６００，Ｓ６１０をさらに実行する。
【０１６２】
ＣＰＵ３１は、ステップＳ３１５のＹＥＳ判定時、すなわち、パスワード入力が要求されるべき変更入力である、運転オン状態から運転オフ状態への切換を指示する変更入力が受け付けられた場合には、ステップＳ６００により、フラグＦＬＧの現在の値を確認する。フラグＦＬＧ＝０のときには（Ｓ６００のＮＯ判定時）、図１０と同様のステップＳ３２０〜Ｓ３６０の処理が実行されることにより、ユーザにパスワード入力を要求するとともに、入力パスワードが登録パスワードと一致したことを条件に運転オンオフの変更が有効化される。
【０１６３】
これに対して、フラグＦＬＧ＝１のときには、図１５と同様のステップＳ６１０により、制御フラグＣＦを「１」に設定するとともに、ステップＳ３５０に処理が進められるので、運転オン状態から運転オフ状態への切換を指示する変更入力が受け付けられても、パスワード照合を要することなく、運転オンオフの変更指令が生成される。
【０１６４】
この結果、運転オン状態から運転オフ状態への切換を指示する変更入力に対してパスワード入力を要求する遠隔操作に対しても、図１４および図１６の制御処理によって、給湯設定温度の変更（図１５）と同様に、ＦＬＧ＝１の期間に対応させてパスワードの入力不要期間を設定することができる。
【０１６５】
図１７を図１１と比較して、ＣＰＵ３１は、運転オン状態から運転オフ状態への切換、および、運転オフ状態から運転オン状態への切換の両方に対してパスワード入力を要求するための図１１と同様のステップＳ３００〜Ｓ３６０に加えて、図１５と同様のステップＳ６００，Ｓ６１０をさらに実行する。
【０１６６】
ＣＰＵ３１は、ステップＳ３００のＹＥＳ判定時に、運転オンオフの変更入力が受け付けられると（Ｓ３１０）、ステップＳ６００を実行する。フラグＦＬＧ＝０のときには（Ｓ６００のＮＯ判定時）、図１１と同様のステップＳ３２０〜Ｓ３６０の処理が実行されるので、ユーザにパスワード入力を要求するとともに、入力パスワードが登録パスワードと一致したことを条件に、運転オンオフの変更が有効化される。
【０１６７】
これに対して、フラグＦＬＧ＝１のときには、図１５と同様のステップＳ６１０が実行されるとともに、ステップＳ３５０によって、パスワード照合を要することなく、運転オンオフ指令が生成される。
【０１６８】
この結果、暖房機能を有する温水供給装置を対象とする、運転オン状態および運転オフ状態の間の切換を指示する変更入力に対してパスワード入力を要求する遠隔操作に対しても、図１４および図１７の制御処理によって、ＦＬＧ＝１の期間に対応させてパスワードの入力不要期間を設定することができる。
【０１６９】
図１８は、実施の形態３に従う遠隔操作における、暖房機能を有する温水供給装置の暖房能力の変更入力に対する制御処理を説明するフローチャートである。図１８に示された制御処理は、図１２に示された制御処理に、パスワードの入力不要期間の設定を組み合わせたものである。
【０１７０】
図１８を図１２と比較して、ＣＰＵ３１は、図１０と同様のステップＳ４００〜Ｓ４６０に加えて、図１５と同様のステップＳ６００，Ｓ６１０をさらに実行する。
【０１７１】
ＣＰＵ３１は、暖房能力の変更入力が受け付けられると（Ｓ４１０）、ステップＳ６００を実行する。フラグＦＬＧ＝０のときには（Ｓ６００のＮＯ判定時）、図１２と同様のステップＳ４２０〜Ｓ４６０の処理が実行されるので、ユーザにパスワード入力を要求するとともに、入力パスワードが登録パスワードと一致したことを条件に、暖房能力の変更が有効化される。
【０１７２】
これに対して、フラグＦＬＧ＝１のときには、図１５と同様のステップＳ６１０が実行されるとともに、ステップＳ４５０によって、パスワード照合を要することなく、暖房能力の変更指令が生成される。
【０１７３】
この結果、暖房機能を有する温水供給装置を対象とする、暖房能力の変更入力に対してパスワード入力を要求する遠隔操作に対しても、図１４および図１８の制御処理によって、ＦＬＧ＝１の期間に対応させてパスワード省略期間を設定することができる。なお、図１６〜図１８で説明したパスワード省略期間の設定においても、制御フラグＣＦを用いることなく、パスワード省略期間の時間長を固定することが可能である。
【０１７４】
このように実施の形態３に従う遠隔操作によれば、暖房機能を有する温水供給装置１００（暖房給湯器１００ｂおよび暖房専用給湯器１００ｃ）を対象とする遠隔操作において、少なくとも運転オン状態から運転オフ状態への変更、および、暖房能力の変更についてはユーザにパスワード入力を求めるとともに、一旦パスワードの照合が完了した場合には、パスワード省略期間を設けることによって、パスワード入力の過剰な要求を排除することで調整作業を効率化することができる。
【０１７５】
なお、実施の形態３に従う温水供給装置の遠隔操作システムにおいて、ステップＳ６００の処理によって、「パスワード処理省略部」の機能を実現するとともに、ステップＳ６１０およびＳ５２０の処理によって「カウント値初期化部」の機能を実現することができる。
【０１７６】
また、実施の形態１〜３では、通信網を経由した通信接続を用いた遠隔操作のための「操作端末」としてスマートフォン３０が用いられる例を説明したが、タブレット端末８０、サポートセンター７０の端末７１、あるいは、パーソナルコンピュータ（図示せず）を「操作端末」として用いることも可能である。この場合には、スマートフォン３０のＣＰＵ３１に代えて、タブレット端末８０、端末７１（サポートセンター７０）、あるいは、パーソナルコンピュータに内蔵されたＣＰＵを用いて、図５等に示したフローチャートの各ステップでの処理を実行することができる。
【０１７７】
さらに、図５を含む各フローチャートに示された遠隔操作のための制御処理は、スマートフォン３０のＣＰＵ３１に代表される、「操作端末」のＣＰＵ（コンピュータ）のみではなく、「操作端末」のＣＰＵとサーバ装置２１（アプリケーションサーバ２１ｂ）のＣＰＵ２５（コンピュータ）とが協調して実行することも可能である。この場合には、各フローチャートの各ステップの処理は、予めプログラムされた分担に従って、「操作端末」のＣＰＵまたはサーバ装置２１（例えば、アプリケーションサーバ２１ｂ）のＣＰＵによって実行することができる。あるいは、１ステップ分の処理を「操作端末」のＣＰＵおよびサーバ装置２１のＣＰＵで協調して実行するようにプログラムすることも可能である。
【０１７８】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１７９】
１０  温水供給システム、２０  管理センター、２１  サーバ装置、２１ａ  クラウドサーバ、２１ｂ  アプリケーションサーバ、２６  通信ユニット、２７，３４  メモリ、２７ａ  ＲＯＭ、２７ｂ  ＲＡＭ、３０  スマートフォン、３２  タッチスクリーン、３３ａ  ディスプレイ、３６  通信インターフェイス、３７  スピーカ、３８  メモリＩ／Ｆ、３９  メモリカード、４０  通信アダプタ、５０  ２芯通信線、６０  ルータ、７０  サポートセンター、７１  端末、８０  タブレット端末、１００  温水供給装置、１００ａ  給湯器、１００ｂ  暖房給湯器、１００ｃ  暖房専用給湯器、１０２  燃焼バーナ、１０４  熱交換器、１０５  リモコン、１１２  入水管、１１５  出湯管、１１６  バイパス管、１１７  合流点、１２０  バイパス流量弁、１２１〜１２３，１２６，１２７  温度センサ、１２５  流量センサ、１３０  コントローラ、１４１ａ  入力端（熱媒体）、１４１ｂ  出力端（熱媒体）、１４３〜１４７  配管、１５０  給湯用熱交換器、１５１  一次側経路、１５２  二次側経路、１６０  分配弁、１６０ａ〜１６０ｃ  ノード（分配弁）、１７０  循環ポンプ、１８０  暖房装置、１８１  外部配管、１８６  放熱体、２００，２３０  表示バー、２０５  境界線（高温領域）、２１０，２３５  操作ポインタ、２２０，２４０  表示アイコン、２５０  ソフトスイッチ、２６０  パスワード入力欄、２６５  実行ボタン、２７０  警告メッセージ、ＣＦ  制御フラグ、ＣＮＴ  カウント値、ＦＬＧ  フラグ（パスワード省略期間）、Ｑ１  検出流量、Ｔｈ  高温水温度、Ｔｈｍ  出力温度（熱媒体）、Ｔｉ  入力温度（熱媒体）、Ｔｏ  出湯温度、Ｔｔｈ  判定温度（高温領域）、Ｔｗ  低温水温度。
【図１】
2018198958.tif 000003
【図２】
2018198958.tif 000004
【図３】
2018198958.tif 000005
【図４】
2018198958.tif 000006
【図５】
2018198958.tif 000007
【図６】
2018198958.tif 000008
【図７】
2018198958.tif 000009
【図８】
2018198958.tif 000010
【図９】
2018198958.tif 000011
【図１０】
2018198958.tif 000012
【図１１】
2018198958.tif 000013
【図１２】
2018198958.tif 000014
【図１３】
2018198958.tif 000015
【図１４】
2018198958.tif 000016
【図１５】
2018198958.tif 000017
【図１６】
2018198958.tif 000018
【図１７】
2018198958.tif 000019
【図１８】
2018198958.tif 000020
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
通信網を経由した通信接続を用いた、給湯機能を有する温水供給装置の遠隔操作システムであって、
前記通信網に接続可能な操作端末に対する、前記温水供給装置の給湯設定温度の変更入力を受け付けるための受付処理部と、
前記変更入力による変更後の給湯設定温度が予め定められた高温領域内であるときに、パスワードの入力要求を前記操作端末に対して生成するためのパスワード要求処理部と、
前記入力要求に応じて前記操作端末へ入力されたパスワードが予め定められた登録パスワードと一致したときに、前記温水供給装置に対する前記給湯設定温度の変更指令を生成するための第１の温度指令制御部と、
前記入力されたパスワードが前記登録パスワードとは不一致のときに、前記温水供給装置に対する前記給湯設定温度の変更指令を非生成とするための第２の温度指令制御部とを備える、温水供給装置の遠隔操作システム。
【請求項２】
前記変更入力によって前記給湯設定温度の低下が指示された場合には、前記変更後の給湯設定温度によらず前記パスワードの入力を求めることなく前記温水供給装置に対する前記給湯設定温度の変更指令を生成する第３の温度指令制御部をさらに備える、請求項１記載の温水供給装置の遠隔操作システム。
【請求項３】
前記パスワード要求処理部による前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する、前記温水供給装置の給湯設定温度の変更入力に従って前記温水供給装置に対する前記給湯設定温度の変更指令を生成するパスワード省略処理部をさらに備える、請求項１または２記載の温水供給装置の遠隔操作システム。
【請求項４】
通信網を経由した通信接続を用いた、暖房装置に対して高温水を出力する暖房機能を有する温水供給装置の遠隔操作システムであって、
前記通信網に接続可能な操作端末に対する、前記暖房機能の運転オンオフの変更入力を受け付ける受付処理部と、
前記受付処理部への前記変更入力によって前記暖房機能がオフされるときにパスワードの入力要求を前記操作端末に対して生成するパスワード要求処理部と、
前記パスワード要求処理部による前記入力要求に応じて前記操作端末へ入力されたパスワードが予め定められた登録パスワードと一致したときに、前記温水供給装置に対する前記暖房機能のオフ指令を生成する第１の運転状態制御部と、
前記入力されたパスワードが前記登録パスワードとは不一致のときに、前記温水供給装置に対する前記暖房機能のオフ指令を非生成とする第２の運転状態制御部と、
前記パスワード要求処理部による前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する前記暖房機能の運転オンオフの変更入力に従って、前記暖房機能のオン指令またはオフ指令を生成するパスワード省略処理部とを備える、温水供給装置の遠隔操作システム。
【請求項５】
通信網を経由した通信接続を用いた、暖房装置に対して高温水を出力する暖房機能を有する温水供給装置の遠隔操作システムであって、
前記通信網に接続可能な操作端末に対する、前記暖房機能による暖房能力の変更入力を受け付ける受付処理部と、
前記受付処理部への前記変更入力の受付時にパスワードの入力要求を前記操作端末に対して生成するパスワード要求処理部と、
前記パスワード要求処理部による前記入力要求に応じて前記操作端末へ入力されたパスワードが予め定められた登録パスワードと一致したときに、前記温水供給装置に対する前記暖房能力の変更指令を生成する第１の暖房能力制御部と、
前記入力されたパスワードが前記登録パスワードとは不一致のときに、前記温水供給装置に対する前記暖房能力の変更指令を非生成とする第２の暖房能力制御部と、
前記パスワード要求処理部による前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する前記暖房能力の変更指示に従って、前記温水供給装置に対する前記暖房能力の変更指令を生成するパスワード省略処理部とを備える、温水供給装置の遠隔操作システム。
【請求項６】
前記一致時点からの経過時間が所定時間に達するまでの間に、前記パスワード省略処理部によって前記温水供給装置に対する指令が生成されたときに前記経過時間のカウントをクリアするカウント初期化部をさらに備える、請求項３〜５のいずれか１項に記載の温水供給装置の遠隔操作システム。
【請求項７】
前記温水供給装置は、通信線によって接続された通信アダプタおよび前記通信網を経由して、前記操作端末および前記登録パスワードを記憶する管理センターに対して通信可能に接続される、請求項１〜６のいずれか１項に記載の温水供給装置の遠隔操作システム。
【請求項８】
通信網を経由した通信接続を用いた、給湯機能を有する温水供給装置の遠隔操作方法であって、
前記通信網に接続可能な操作端末に対する、前記温水供給装置の給湯設定温度の変更入力を受け付けるステップと、
前記変更入力による変更後の給湯設定温度が予め定められた高温領域内であるときに、パスワードの入力要求を前記操作端末に対して生成するステップと、
前記入力要求に応じて前記操作端末へ入力されたパスワードが予め定められた登録パスワードと一致したときに、前記温水供給装置に対する前記給湯設定温度の変更指令を生成するステップと、
前記入力されたパスワードが前記登録パスワードとは不一致のときに、前記温水供給装置に対する前記給湯設定温度の変更指令を非生成とするステップとを備える、温水供給装置の遠隔操作方法。
【請求項９】
前記変更入力によって前記給湯設定温度の低下が指示された場合には、前記変更後の給湯設定温度によらず前記パスワードの入力を求めることなく前記温水供給装置に対する前記給湯設定温度の変更指令を生成するステップをさらに備える、請求項８記載の温水供給装置の遠隔操作方法。
【請求項１０】
前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する、前記温水供給装置の給湯設定温度の変更入力に従って前記温水供給装置に対する前記給湯設定温度の変更指令を生成するステップをさらに備える、請求項８または９に記載の温水供給装置の遠隔操作方法。
【請求項１１】
通信網を経由した通信接続を用いた、暖房装置に対して高温水を出力する暖房機能を有する温水供給装置の遠隔操作方法であって、
前記通信網に接続可能な操作端末に対する、前記暖房機能の運転オンオフの変更入力を受け付けるステップと、
前記運転オンオフの変更入力によって前記暖房機能がオフされるときにパスワードの入力要求を前記操作端末に対して生成するステップと、
前記入力要求に応じて前記操作端末へ入力されたパスワードが予め定められた登録パスワードと一致したときに、前記温水供給装置に対する前記暖房機能のオフ指令を生成するステップと、
前記入力されたパスワードが前記登録パスワードとは不一致のときに、前記温水供給装置に対する前記暖房機能のオフ指令を非生成とするステップと、
前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する前記暖房機能の運転オンオフの変更入力に従って、前記暖房機能のオン指令またはオフ指令を生成するステップとを備える、温水供給装置の遠隔操作方法。
【請求項１２】
通信網を経由した通信接続を用いた、暖房装置に対して高温水を出力する暖房機能を有する温水供給装置の遠隔操作方法であって、
前記通信網に接続可能な操作端末に対する、前記暖房機能による暖房能力の変更入力を受け付けるステップと、
前記暖房能力の変更入力の受付時にパスワードの入力要求を前記操作端末に対して生成するステップと、
前記入力要求に応じて前記操作端末へ入力されたパスワードが予め定められた登録パスワードと一致したときに、前記温水供給装置に対する前記暖房能力の変更指令を生成するステップと、
前記入力されたパスワードが前記登録パスワードとは不一致のときに、前記温水供給装置に対する前記暖房能力の変更指令を非生成とするステップと、
前記入力要求に応じて前記操作端末へ入力されたパスワードと前記登録パスワードとが一致した場合に、この一致時点からの経過時間が所定時間に達するまでの間、前記パスワードの入力を求めることなく、前記操作端末に対する前記暖房能力の変更指示に従って、前記温水供給装置に対する前記暖房能力の変更指令を生成するステップとを備える、温水供給装置の遠隔操作方法。
【請求項１３】
前記一致時点からの経過時間が所定時間に達するまでの間に、前記パスワードの入力を求めることなく前記温水供給装置に対する指令が生成されたときに、前記経過時間のカウントがクリアされる、請求項１０〜１２のいずれか１項に記載の温水供給装置の遠隔操作方法。
【請求項１４】
請求項８〜１３のいずれか１項に記載の温水供給装置の遠隔操作方法を、プロセッサを備えたコンピュータに実行させるための、プログラム。
【手続補正３】
【補正対象書類名】明細書
【補正対象項目名】０１７０
【補正方法】変更
【補正の内容】
【０１７０】
図１８を図１２と比較して、ＣＰＵ３１は、図１２と同様のステップＳ４００〜Ｓ４６０に加えて、図１５と同様のステップＳ６００，Ｓ６１０をさらに実行する。
【国際調査報告】
2018198958.tif 000021
2018198958.tif 000022
2018198958.tif 000023